(57)【特許請求の範囲】
【請求項１】
オフフックキー、数字キー等の各種操作キーを複数個備えた操作手段と、着信を検出する着信検出手段と、着信検出手段により着信が検出されている間、ユーザに着信通知出力を行う着信通知出力手段と、着信検出手段により着信が検出されている間に操作手段の全部または一部で複数個の操作キーの内で任意の操作キーが操作されると、応答信号を局側に送信させる応答手段と、を含む電話機において、
応答手段は、着信検出手段により着信が検出された直後から所定の一定時間の間は、オフフックキーの操作だけ受け付けて応答信号を局側に送信させるようにし、
着信検出手段により着信が検出された直後から所定の一定時間経過後は、操作手段の全部または一部で複数個の操作キーの内で任意の操作キーが操作されると、応答信号を局側に送信させるようにしたこと、
を特徴とする電話機。
【発明の詳細な説明】
【０００１】
【発明の属する技術分野】
本発明は電話機に係り、とくに着信中に任意の操作キーが操作されると、通話状態に移行させるための所定の応答信号を局側に送信するようにしたエニーキーアンサー機能を有する電話機に関する。
【０００２】
【従来の技術】
携帯電話では、オフフック操作とダイヤル操作による通常の発信通話や着信通話を行えるほか、相手の電話番号を事前に登録しておき、ワンタッチで所望相手に発信できるようにしたワンタッチダイヤル機能、電子メールを送受信できるようにしたメール機能、インターネットのホームページ閲覧機能など、多彩な機能を備えており、これらの機能を実現するため、操作パネルにはオフフックキー、数字キー、文字キー、上下左右の方向キー、実行キー、機能選択キーなど多数の操作キーが設けられている。
【０００３】
近年、携帯電話の軽量化と小型化か著しく進み、限られたスペースに前記多数の操作キーを配置するため、１つづつの操作キーが非常に小さく形成されている。よって、たとえば携帯電話をカバンに入れていたときに着信があったとき、携帯電話をカバンから取り出し、オフフックキーを押そうとしたとき、あわてて他の操作キーを押してしまい、的確に、通話状態に移行させるための着信応答をできない場合があった。
この問題に対応するため、従来から携帯電話にはエニーキーアンサー機能が設けられており、着信があったとき、携帯電話に設けられた任意の操作キーを操作すれば、所定の応答信号が局側に送信されて、通話を開始できるようになっている。
【０００４】
【発明が解決しようとする課題】
しかしながら、上記したエニーキーアンサー機能では、着信があったときにユーザがワンタッチダイヤル用に相手先の電話番号の登録操作をしている最中や、電子メールの作文操作をしている最中であったとき、電話に出たくなかった相手であったにもかかわらず、着信直後にした電話番号登録用のキー操作又は電子メール作文用のキー操作により不用意に通話状態に移行させる着信応答をしてしまい、通話せざるを得なくなってしまう場合があった。
本発明は上記した従来技術の問題に鑑み、不用意に、通話状態に移行させる着信応答をする恐れのない電話機を提供することを、その目的とする。
【０００５】
【課題を解決するための手段】
本発明の請求項１記載の電話機では、オフフックキー、数字キー等の各種操作キーを複数個備えた操作手段と、着信を検出する着信検出手段と、着信検出手段により着信が検出されている間、ユーザに着信通知出力を行う着信通知出力手段と、着信検出手段により着信が検出されている間に操作手段の全部または一部で複数個の操作キーの内で任意の操作キーが操作されると、所定の応答信号を局側に送信させる応答手段と、を含む電話機において、応答手段は、着信検出手段により着信が検出された直後から所定の一定時間の間は、オフフックキーの操作だけ受け付けて所定の応答信号を局側に送信させるようにし、着信検出手段により着信が検出された直後から所定の一定時間経過後は、操作手段の全部または一部で複数個の操作キーの内で任意の操作キーが操作されると、応答信号を局側に送信させるようにしたこと、を特徴としている。
請求項１によれば、着信があると、所定の一定時間の間はオフフックキー以外の操作キーが操作されても通話状態に移行させる着信応答がされないので、例えば、電子メール作成中に着信が有ったが、今回の着信相手の電話には出たくなかったにもかかわらず、送信先アドレスの入力操作途中または送信文の作成操作途中であったため着信検出直後に、数字キー、カーソルキー、実行キー等を操作してしまっても、不用意に、通話状態に移行させる着信応答をしてしまうのを回避できる。そして、着信があったあと所定の一定時間経過後は、どの操作キーを操作しても通話状態に移行させるための着信応答をできるので、ユーザが着信の有った電話に出たい場合にあわててオフフックキーを探したりしなくても、確実に電話に出ることができる。更に、着信があったあと所定の一定時間の間でもオフフックキーを操作すれば通話状態に移行させるための着信応答がされるので、ユーザが着信に対し迅速に電話に出ることもできる。
【０００６】
【発明の実施の形態】
次に、本発明の一つの実施の形態を図１を参照して説明する。図１は本発明に係る携帯電話の構成を示すブロック図である。
１は送話マイク、２は受話スピーカ、３は送話マイクから出力された音声信号をＡ／Ｄ変換して送信ディジタル音声信号を作成し、後述する信号処理部へ出力するＡ／Ｄ変換部、４は信号処理部から出力された受信ディジタル音声信号をＤ／Ａ変換して受話スピーカ２へ出力するＤ／Ａ変換部である。５は無線基地局との間で携帯電話用の電波を送受するアンテナ、６は送受信部であり、後述する信号処理部から入力したベースバンドの送信ディジタルストリームに基づき搬送波をディジタル変調し、所定の送信周波数に変換したあと更に電力増幅してアンテナ１に送出したり、アンテナ１での受波信号を低雑音増幅し、更に所定の中間周波信号に変換したあとディジタル復調してベースバンドの受信ディジタルストリームを出力する。７は信号処理部であり、受信ディジタルストリームから受信ディジタル音声信号、受信データ、制御信号を抽出し、受信ディジタル音声信号はＤ／Ａ変換部４を介して受話スピーカ２へ出力し、受信データと制御信号は後述するコントロール部へ出力する。また、信号処理部７はＡ／Ｄ変換部３から出力された送信ディジタル音声信号とコントール部から出力された送信データと制御信号を多重しながら送信ディジタルストリームを作成して送受信部６へ出力する。８はユーザに着信を知らせるための呼び出し音を発するリンガ部、９は液晶ドットマトリクス型の表示部であり、着信時に「着信中」の文字と発信元の電話番号を表示したり、電子メール作成画面を表示したりする。１０は操作部であり、オフフックキー、文字・数字キー、上下左右のカーソルキー、実行キー、機能選択キー等を有している。
【０００７】
１１はマイコン構成のコントロール部であり、携帯電話の各部を制御し、オンフック状態下では所定の待ち受け用チャネルで待ち受けをし、携帯電話用の電波がアンテナ５でキャッチされ、信号処理部７から制御信号が入力されると、自機宛の着信か否か判別し、自機宛の着信であることを検出すると、着信が成功したことを知らせるための所定の第１着信応答信号を生成し、信号処理部７に出力して送受信部６とアンテナ５を介して無線基地局側に送信を行わせ、着信を検出している間、表示部９に発信元の電話番号を表示するとともにリンガ部８を駆動する。そして、着信検出中であって着信検出開始後、所定の一定時間経過するまではオフフックキーが操作されたところで通話状態に移行させるための所定の第２着信応答信号を生成し、信号処理部７に出力して送受信部６とアンテナ５を介して無線基地局側に送信を行わせたあと、所定の通話チャネルでの通話状態に移行させる。着信検出中であって着信検出開始後、所定の一定時間経過したあとは操作部１０の任意の操作キーが操作されたところで通話状態に移行させるための所定の第２着信応答信号を生成し、信号処理部７に出力して無線基地局側に送信を行わせ、通話状態に移行させる。また、コントロール部１１はオンフック状態下でオフフックキーが操作されると、オフフック信号を生成して信号処理部７へ出力し、無線基地局側へ送信させ、更に文字・数字キーの操作で電話番号が入力されると、発信電話番号として信号処理部７へ出力し、無線基地局側へ送信させる。このあと、相手側が着信応答したため無線基地局側から通話チャネルの指定信号が送信され、信号処理部７から入力されると、当該通話チャンネルでの通話状態に移行させる。通話状態では、ユーザの音声が送話マイク１に拾われ、Ａ／Ｄ変換後、信号処理部７へ出力され、送受信部６とアンテナ５を介して無線基地局側に送信される。また相手側の音声信号を含む携帯電話用電波がアンテナ５でキャッチされ、送受信部６、信号処理部７により受信ディジタル音声信号が取り出される。この受信ディジタル音声信号はＤ／Ａ変換後、受話スピーカ２へ送られて音声出力される。
【０００８】
また、コントロール部１１は、オンフック状態下で、機能選択キーの操作により、電子メールの作成が選択されると、表示部９を電子メール作成画面に切り替え、文字・数字キー、上下左右のカーソルキー、実行キーの操作で送信相手アドレスと送信文の入力がされると内蔵メモリ（図示せず）に記憶しながら画面にも表示させる。そして、送信キーの操作により電子メールの送信が指示されると、信号処理部７に送信相手アドレスと送信文を含む送信電子メールデータを出力し、送受信部６とアンテナ５を介して無線基地局側に送信させる。反対に、オンフック状態下で、機能選択キーの操作により、電子メールの受信が選択されると、電子メール要求信号を生成して、信号処理部７に出力し、送受信部６とアンテナ５を介して無線基地局側に送信させる。そして、受信電子メールデータを含む携帯電話用電波がアンテナ５でキャッチされると、送受信部６、信号処理部７により受信電子メールデータが取り出されて、コントロール部１１に入力される。コントロール部１１は受信電子メールデータを内蔵メモリ（図示せず）に記憶しながら表示部９に受信電子メール文と発信元アドレスを表示させる。
【０００９】
図２乃至図４はコントロール部１１のオンフック状態下での制御処理を示すフローチャート、図５は表示部９の表示例を示す説明図であり、以下、これらの図を参照して上記した実施の形態の動作を説明する。
（１）発信
オンフック状態下では、コントロール部１１は各部を制御し、所定の待ち受け用チャネルで受信し、信号処理部７から自機宛の着信信号を含む制御信号が入力されるのを待つことで待ち受けをする（ステップＳ１０、Ｓ１１、Ｓ１２）。もし、ユーザが電話を掛けるためオフフックキーを押したときは、所定の発信処理を行う（ステップＳ１３でＹＥＳ）。すなわち、オフフック信号を生成して信号処理部７へ出力し、無線基地局側へ送信させ、更に文字・数字キーの操作で電話番号が入力されると、発信電話番号として信号処理部７へ出力し、無線基地局側へ送信させる。このあと、相手側が着信応答したため無線基地局側から通話チャネルの指定信号が送信され、信号処理部７から入力されると、当該通話チャネルでの通話状態に移行させる。
【００１０】
（２）電子メールの作成及び送信
コントロール部１１は、オンフック状態下で、機能選択キーの操作により、電子メールの作成が選択されると、表示部９を電子メール作成画面に切り替え（ステップＳ１４でＹＥＳ、Ｓ１５）、文字・数字キー、上下左右のカーソルキー、実行キーの操作で送信先アドレスの入力操作又は送信文の作成操作がされると、内蔵メモリ（図示せず）に送信先アドレスを構成する文字列又は送信文を構成する文字列を記憶しながら画面にも表示させる。具体的には、最初、カーソルは送信先アドレス入力行の先頭に有り、例えば数字キーの「０」を押すと、送信先アドレスの１文字目として「０」が記憶されるとともに表示される（ステップＳ１６、Ｓ１７。図５（１）参照）。この際、カーソルは送信先アドレス入力行の２文字目に移動する。続けて、「９」、「０」、「１」、「２」、「３」、「４」、「５」、「６」、「７」、「８」、「＠」、「ａ」、「ｂ」、「ｃ」、「．」、「ｎ」、「ｅ」、「．」、「ｊ」、「ｐ」のキーを押すたびに、ステップＳ１６、Ｓ１７の処理が繰り返されて、送信先アドレスとして「０９０１２３４５６７８＠ａｂｃ．ｎｅ．ｊｐ」が記憶されるとともに表示される（図５（２）参照）。この際、カーソルは送信先アドレス入力行の２２文字目に移動する。
【００１１】
次に、カーソルキーの１つである下キーを押すと、カーソルは送信文入力領域の１行目の１文字目に移動する（ステップＳ１６、Ｓ１７）。そして、例えば文字キーの「ア」を押すと、送信文の１文字目として「ア」が記憶されるとともに表示される（ステップＳ１６、Ｓ１７。図５（３）参照）。この際、カーソルは送信文入力領域の１行目の２文字目に移動する。続けて、「ス」、「コ」、「゛」、「コ」、「゛」、「２」、「シ」、「゛」、「シ」、「ュ」、「ウ」、「コ」、「゛」、「ウ」のキーを押すたびに、ステップＳ１６、Ｓ１７の処理が繰り返されて、送信文として「アスゴゴ２ジシュウゴウ」が記憶されるとともに表示される（図５（４）参照）。
【００１２】
送信先アドレスの入力と送信文の作成が完了したならば、機能選択キーの操作により、電子メールの送信を選択する。すると、コントロール部１１はステップＳ１８でＹＥＳと判断し、信号処理部７に送信先アドレスと送信文を含む送信電子メールデータを出力し、送受信部６とアンテナ５を介して無線基地局側に送信させる（ステップＳ１９）。
【００１３】
（３）電子メール作成中の着信
コントロール部１１は機能選択キーで電子メール作成が選択されたあとで、かつ電子メールの送信が選択される前において、送信先アドレスの入力操作または送信文の作成操作がされたかのチェックと平行して、信号処理部７から制御信号が入力されたかのチェックをしており（ステップＳ２０）、制御信号が入力されたときは、更に自機宛の着信信号が含まれているか判別することで自機宛の着信の検出処理を行っている（ステップＳ２１）。
若し、送信先アドレスの入力操作または送信文の作成操作が完了する前に、自機宛の着信信号を含む携帯電話用電波がアンテナ５でキャッチされ、信号処理部７から自機宛の着信信号が含まれている制御信号が入力されると、コントロール部１１はステップＳ２０、２１でＹＥＳと判断し、図３のフローへ進む。そして、所定の第１着信応答信号を生成し、信号処理部７に出力して送受信部６とアンテナ５を介して無線基地局側に送信を行わせる（ステップＳ３０）。そして、無線基地局側から受信した制御信号に含まれる発信元電話番号情報に基づき表示部９に発信元の電話番号を表示するとともに「着信中」の文字を表示し、また、リンガ部８を駆動して呼び出し音の出力を開始させる（ステップＳ３１、Ｓ３２）。
【００１４】
そして、零から経過時間の計時を行うタイマをスタートさせ（ステップＳ３３。なおタイマの計時時間をｔとする）、ｔが所定の一定時間Ｔ（Ｔは例えば、５秒に設定）以下のときは、オフフックキーが操作されたかのチェックを行い（ステップＳ３４でＹＥＳ、Ｓ３５）、ＮＯであれば信号処理部７から自機宛の着信信号を含む制御信号が入力されているかチェックして、自機宛の着信が継続しているかチェックし（ステップＳ３６）、ＹＥＳであればステップＳ３４に戻る。ｔが所定の一定時間Ｔ以下の間にオフフックキーが操作されたときは通話状態に移行させるための所定の第２着信応答信号を生成して信号処理部７に出力し、通話チャネルでの通話状態に移行させる（ステップＳ３５、Ｓ３７）。
【００１５】
このように、ｔが所定の一定時間Ｔ以下の間はオフフックキーが操作されたときだけ通話状態に移行させる着信応答をするようにしたのは、ユーザが今回の着信相手の電話には出たくなかったにもかかわらず、送信先アドレスの入力操作途中または送信文の作成操作途中であったため着信検出直後に、文字・数字キー、カーソルキー、実行キー等を操作してしまうことがあるが（例えば、「アスゴゴ２ジシュウゴウ」の内、「アスゴゴ２ジ」まで入力した直後に着信が有ったとき、次の文字「シ」を入力してしまう）、この場合に、不用意に、通話状態に移行させる着信応答をしてしまうのを回避するためである。
【００１６】
若し、自機宛の着信が継続したままオフフックキーが操作されることなく、ｔがＴを越えたときは、ステップＳ３４でＮＯと判断したあと、ステップＳ３８へ進み、任意の操作キーが操作されたかのチェックを行い、ＮＯであれば信号処理部７からまだ自機宛の着信信号が含まれている制御信号が入力されているかチェックすることで、自機宛の着信が継続しているかチェックし（ステップＳ３６）、ＹＥＳであればステップＳ３４に戻る。ｔが所定の一定時間Ｔを越えたあと、操作部１０に設けられた全ての操作キーの内、任意の操作キーが操作されたときは通話状態に移行させるための所定の第２着信応答信号を生成して信号処理部７に出力し、通話チャネルでの通話状態に移行させる（ステップＳ３８でＹＥＳ、Ｓ３７）。これにより、ユーザが着信が有った電話に出たい場合、着信後、Ｔ経過したあとであれば、どの操作キーを操作しても通話状態に移行させるための着信応答をできるので、あわててオフフックキーを探したりしなくても、迅速に電話に出ることができる。
【００１７】
若し、着信があったあと、ステップＳ３５またはＳ３８でＹＥＳとなることなく、ステップＳ３６でＮＯとなったときは、コントロール部１１は表示部９の発信元電話番号と「着信中」の表示を停止し、リンガ部８の駆動を停止して呼び出し音の出力を停止する（ステップＳ３９、Ｓ４０）。そして、着信直前に表示していた電子メール作成途中の画面を表示し（ステップＳ４１）、図２のステップＳ１６に戻る。なお、ステップＳ４０のあと、図２のステップＳ１１に戻るようにしても良い。
【００１８】
（４）通常のオンフック状態での着信
特別な機能の動作をしていない通常のオンフック状態において、コントロール部１１は信号処理部７から制御信号が入力されたかのチェックをしており（図２のステップＳ１１）、制御信号が入力されたときは、更に自機宛の着信信号が含まれているか判別するすることで自機宛の着信の検出処理を行っている（ステップＳ１２）。
若し、自機宛の着信信号を含む携帯電話用電波がアンテナ５でキャッチされ、信号処理部７から自機宛の着信信号が含まれている制御信号が入力されると、コントロール部１１はステップＳ１１、１２でＹＥＳと判断し、図４のフローへ進む。そして、所定の第１着信応答信号を生成し、信号処理部７に出力して送受信部６とアンテナ５を介して無線基地局側に送信を行わせる（ステップＳ５０）。そして、無線基地局側から受信した制御信号に含まれる発信元電話番号情報に基づき表示部９に発信元の電話番号を表示するとともに「着信中」の文字を表示し、また、リンガ部８を駆動して、呼び出し音の出力を開始させる（ステップＳ５１、Ｓ５２）。
【００１９】
そして、零から経過時間の計時を行うタイマをスタートさせ（ステップＳ５３。なおタイマの計時時間をｔとする）、ｔが所定の一定時間Ｔ以下のときは、オフフックキーが操作されたかのチェックを行い（ステップＳ５４でＹＥＳ、Ｓ５５）、ＮＯであれば信号処理部７からまだ自機宛の着信信号が含まれている制御信号が入力されているかチェックすることで、自機宛の着信が継続しているかチェックし（ステップＳ５６）、ＹＥＳであればステップＳ５４に戻る。ｔが所定の一定時間Ｔ以下の間にオフフックキーが操作されたときは通話状態に移行させるための所定の第２着信応答信号を生成して信号処理部７に出力し、通話チャネルでの通話状態に移行させる（ステップＳ５５、Ｓ５７）。
【００２０】
若し、自機宛の着信が継続したままオフフックキーが操作されることなく、ｔがＴを越えたときは、ステップＳ５４でＮＯと判断したあと、ステップＳ５８へ進み、操作部１０の全ての操作キーの内、任意の操作キーが操作されたかのチェックを行い、ＮＯであれば信号処理部７からまだ自機宛の着信信号が含まれている制御信号が入力されているかチェックすることで、自機宛の着信が継続しているかチェックし（ステップＳ５６）、ＹＥＳであればステップＳ５４に戻る。ｔが所定の一定時間Ｔを越えたあと、任意の操作キーが操作されたときは通話状態に移行させるための所定の第２着信応答信号を生成して信号処理部７に出力し、通話チャネルでの通話状態に移行させる（ステップＳ５８でＹＥＳ、Ｓ５７）。これにより、ユーザが着信が有った電話に出たい場合、着信後、Ｔ経過したあとであれば、どの操作キーを操作しても通話状態に移行させるための着信応答をできるので、あわててオフフックキーを探したりしなくても、確実に電話に出ることができる。
【００２１】
若し、着信があったあと、ステップＳ５５またはＳ５８でＹＥＳとなることなく、ステップＳ５６でＮＯとなったときは、コントロール部１１は表示部９の発信元電話番号と「着信中」の表示を停止し、リンガ部８の駆動を停止して呼び出し音の出力を停止する（ステップＳ５９、Ｓ６０）。そして、図２のステップＳ１１に戻る。
【００２２】
（５）電子メールの受信
オンフック状態下で機能選択キーにより、電子メールの受信が選択されたとき、コントロール部１１は所定の電子メール受信・表示処理を行うが（ステップＳ２２でＹＥＳ、Ｓ２３）、ここでは詳細は略す。
【００２３】
上記した実施の形態によれば、着信があると、所定の一定時間の間はオフフックキー以外の操作キーが操作されても、通話状態に移行させるための着信応答がされないので、例えば、電子メール作成中に着信が有ったが、今回の着信相手の電話には出たくなかったにもかかわらず、送信先アドレスの入力操作途中または送信文の作成操作途中であったため着信検出直後に、文字・数字キー、カーソルキー、実行キー等を操作してしまっても、不用意に通話状態に移行させるための着信応答をしてしまうのを回避できる。そして、着信があったあと所定の一定時間経過後は、どの操作キーを操作しても通話状態に移行させるための着信応答ができるので、ユーザが着信の有った電話に出たい場合にあわててオフフックキーを探したりしなくても、確実に電話に出ることができる。更に、着信があったあと所定の一定時間の間でもオフフックキーを操作すれば通話状態に移行させるための着信応答がされるので、ユーザが着信に対し迅速に電話に出ることもできる。
【００２４】
なお、上記した実施の形態ではＴを５秒として説明したが、５秒以外の例えば、３秒、４秒、６秒、・・などに設定しても良い。また、図３のステップＳ３８、と図４のステップＳ５８では、操作部１０に設けられた全部の操作キーの中の任意の操作キーが押されたかチェックし、ＹＥＳの場合にステップＳ３９、ステップＳ５９に進むようにしたが、操作部１０の所定の一部の２以上の操作キー（例えば、文字・数字キーとオフフックキー）の内の任意の操作キーが押されたかチェックし、ＹＥＳの場合にステップＳ３９、ステップＳ５９に進むようにしても良い。また、携帯電話を例に挙げて説明したが、固定電話機、ＰＨＳなどにも同様に適用することができる。
【００２５】
【発明の効果】
本発明によれば、着信があると、所定の一定時間の間はオフフックキー以外の操作キーが操作されても通話状態に移行させるための着信応答がされないので、例えば、電子メール作成中に着信が有ったが、今回の着信相手の電話には出たくなかったにもかかわらず、送信先アドレスの入力操作途中または送信文の作成操作途中であったため着信検出直後に、文字・数字キー、カーソルキー、実行キー等を操作してしまっても、不用意に通話状態に移行させるための着信応答をしてしまうのを回避できる。そして、着信があったあと所定の一定時間経過後は、どの操作キーを操作しても通話状態に移行させるための着信応答ができるので、ユーザが着信の有った電話に出たい場合にあわててオフフックキーを探したりしなくても、確実に電話に出ることができる。更に、着信があったあと所定の一定時間の間でもオフフックキーを操作すれば通話状態に移行させるための着信応答がされるので、ユーザが着信に対し迅速に電話に出ることもできる。
【図面の簡単な説明】
【図１】本発明の一つの実施の形態に係る携帯電話の構成を示すブロック図である。
【図２】図１中のコントロール部の制御処理を示すフローチャートである。
【図３】図１中のコントロール部の制御処理を示すフローチャートである。
【図４】図１中のコントロール部の制御処理を示すフローチャートである。
【図５】図１中の表示部の表示例を示す説明図である。
【符号の説明】
１  送話マイク                    ２  受話スピーカ
５  アンテナ                      ６  送受信部
７  信号処理部                    ８  リンガ部
９  表示部                        １０  操作部
１１  コントロール部
【図１】
0004422880.tif 000002
【図２】
0004422880.tif 000003
【図３】
0004422880.tif 000004
【図４】
0004422880.tif 000005
【図５】
0004422880.tif 000006